(57)【要約】      （修正有）【課題】コンピュータ使用時の外部モニタにおける電力消費を軽減する出力画面制御システム等を提供する。【解決手段】計算装置１０からの指令で予め設定された表示輝度で外部モニタの表示部３１に出力表示するモニタ制御部３３，１５を備え、前記計算装置１０を、予め装備した入力デバイスから一定期間入力がない場合に稼働して前記モニタ制御部３３，１５に対してスクリーンセーバの出力表示を指令する演算処理部１と、前記スクリーンセーバの表示指令を検出するスクリーンセーバ起動検出部１７と、このスクリーンセーバの表示指令が検出された場合に前記外部モニタ表示部３１の表示輝度を予め設定された低輝度値に設定制御する輝度制御部１９とを備えた。【選択図】図１
2013182233.tif 000002
【特許請求の範囲】
【請求項１】
予め設定されたプログラムに基づく演算処理を行う計算装置と、この計算装置から送り込まれた前記演算処理結果を予め設定された表示輝度で外部モニタの表示部に出力表示するモニタ制御部とを備えた出力画面制御システムであって、
前記計算装置が、
予め装備した入力デバイスから一定期間入力がない場合に稼働して前記モニタ制御部に対してスクリーンセーバの出力表示を指令するスクリーンセーバ表示指令機能を備えた演算処理部と、
前記スクリーンセーバの表示指令が前記モニタ制御部に対して成された場合にこれを検出するスクリーンセーバ起動検出部と、
前記スクリーンセーバの表示指令が検出された場合に前記外部モニタ表示部の表示輝度を予め設定された低輝度値に設定制御する輝度制御部とを備えていることを特徴とした出力画面制御システム。
【請求項２】
請求項１に記載の出力画面制御システムにおいて、
前記輝度制御部は、前記表示輝度を示す輝度値を前記モニタ制御部から取得する輝度設定値取得機能を有すると共に、
前記スクリーンセーバーの出力表示が解除されたことを前記スクリーンセーバ起動検出部が検知した場合に前記外部モニタに対して予め設定されたログオン用画面を前記高輝度に切換設定する高輝度設定機能を備えていることを特徴とした出力画面制御システム。
【請求項３】
請求項２に記載の出力画面制御システムにおいて、
前記輝度制御部が前記高輝度制御機能を実行した場合に、前記演算処理部は、前記ログオン用画面に対する入力内容に基づいてログオン処理を実行するログオン処理機能を備えていることを特徴とした出力画面制御システム。
【請求項４】
請求項１に記載の出力画面制御システムにおいて、
前記外部モニタとして前記演算処理結果をマルチディスプレイ表示する異なる一方と他方の複数の外部モニタを備え、
前記輝度制御部は、前記プライマリモニタに設定された前記一方の外部モニタに対するスクリーンセーバの起動が検出された場合に、前記一方の外部モニタにおける表示輝度を予め設定された低輝度値に抑制すると共に前記他方の外部モニタに対する画像出力を停止する画像出力停止機能を備えたことを特徴とする出力画面制御システム。
【請求項５】
請求項４に記載の出力画面制御システムにおいて、
前記輝度制御部は、前記プライマリモニタとして設定された一方の外部モニタから前記表示輝度を示す輝度値を取得するプライマリモニタ表示輝度取得機能を有すると共に、
前記演算処理部は、前記プライマリモニタが設定された一方の外部モニタにおけるスクリーンセーバの出力表示が解除された場合に前記一方の外部モニタに前記ログオン用画面を前記高輝度で出力し当該ログオン用画面に対する入力内容に基づきログオン処理を行うプライマリログオン処理機能を備え、
前記輝度制御部は、前記ログオン処理の完了を検知した場合に前記一方および他の外部モニタにおける画像表示を前記取得した輝度値に基づき行うマルチモニタ高輝度出力制御機能を有することを特徴とした出力画面制御システム。
【請求項６】
予め設定されたプログラムに基づく演算処理を行う計算装置と、この計算装置から送り込まれた前記演算処理結果を予め設定された表示輝度で外部モニタの表示部に出力表示するモニタ制御部とを備えた出力画面制御システムを使用して前記外部モニタ表示部における画像出力を制御する出力画面制御方法であって、
予め装備した入力デバイスから一定期間入力がない場合に稼働し、前記計算装置の演算処理部１が前記モニタ制御部に対してスクリーンセーバの出力表示を指令し、
前記スクリーンセーバの出力表示が前記モニタ制御部に対して指令された場合、前記計算装置のスクリーンセーバ起動検出部がこれを検出し、
前記スクリーンセーバの起動が検出された場合に前記外部モニタ表示部の表示輝度を予め設定された低輝度値に、前記計算装置の輝度制御部が設定制御するようにしたことを特徴とする出力画面制御方法。
【請求項７】
請求項６に記載の出力画面制御方法において、
前記スクリーンセーバーの出力表示が解除されたことを前記スクリーンセーバ起動検出部が検知した場合に、前記外部モニタに対して設定されたログオン用画面を、前記輝度制御部が高輝度に切換設定するようにし、
前記輝度制御部が前記ログオン用画面を高輝度に切換設定した場合に、前記ログオン用画面に対する入力内容に基づいて、前記演算処理部１がログオン処理を実行するようにしたことを特徴とする出力画面制御方法。
【請求項８】
予め設定されたプログラムに基づく演算処理を行う計算装置と、この計算装置から送り込まれた前記演算処理結果を予め設定された表示輝度で外部モニタの表示部に出力表示するモニタ制御部とを備えた出力画面制御システムにあって、
予め装備した入力デバイスから一定期間入力がない場合に稼働し、前記モニタ制御部に対してスクリーンセーバの出力表示を指令するスクリーンセーバ表示指令処理機能、
前記スクリーンセーバの設定が前記モニタ制御部に対して指令された場合に、直ちに当該指令を検出するスクリーンセーバ指令検出処理機能、
および前記スクリーンセーバの起動が検出された場合に前記外部モニタ表示部の表示輝度を予め設定された低輝度値に設定制御するスクリーンセーバ設定処理機能を設け、
これらの各処理機能を前記計算装置が備えているコンピュータに実現させるようにしたことを特徴とする出力画面制御プログラム。
【請求項９】
請求項８に記載の出力画面制御プログラムにおいて、
前記スクリーンセーバーの出力表示が解除されたことを前記スクリーンセーバ起動検出部が検知した場合に、前記外部モニタに対して設定されたログオン用画面を、高輝度に切換設定する輝度切換え設定処理機能、
及び前記ログオン用画面を高輝度に切換設定された場合に、前記ログオン用画面に対する入力内容に基づいてログオン処理を実行するログオン実行処理機能を設け、
これらの各処理機能を前記計算装置が備えているコンピュータに実現させるようにしたことを特徴とする出力画面制御プログラム。
【発明の詳細な説明】
【技術分野】
【０００１】
本発明は、パーソナルコンピュータにおける外部モニタに対する画面出力を制御することにより電力消費を軽減する出力画面制御システム等に関する。
【背景技術】
【０００２】
パーソナルコンピュータのモニタとしては、一般にＬＣＤモニタが使用されており、その使用にあたっては内蔵する蛍光管やＬＥＤといったバックライトに対して多くの電力を必要とする。
例えば、モニタの使用者がパーソナルコンピュータを使用しない場合に、その都度、ＬＣＤモニタの操作ボタンを操作して輝度を下げ、また、ＰＣを使用する際に輝度を上げる操作を行うなどしてモニタにおける表示輝度を抑制することにより、モニタ使用における省電力化をはかることができるが、ＰＣの使用の際にその都度輝度の上げ下げを行うことは煩雑な操作が必要であり、ユーザにとって非常に煩わしく面倒な操作である。
【０００３】
これに対する関連技術として、ＣＰＵ部分と表示装置が一体となったノートブックタイプのパーソナルコンピュータにおいて、スクリーンセーバーを起動する前に表示装置の輝度を省電力値に設定してからスクリーンセーバーを起動し、スクリーンセーバーを終了する前に表示装置の輝度を元に戻すことで表示装置の消費電力を低減させるシステムが開示されている（特許文献１）。
【０００４】
また、この関連技術として、ＢＩＯＳ画面やＯＳシャットダウン画面は、使用者がパーソナルコンピュータを操作していないとみなし、ＬＣＤモニタを低輝度モードとすることにより消費電力を低減させるシステムが開示されている（特許文献２）。
【０００５】
更に、この関連技術として、キーボードやマウスの操作などパーソナルコンピュータの操作が行われていない場合にＬＣＤモニタの輝度を徐々に落とし消費電力を抑制する手法が開示されている（特許文献３）。
【０００６】
また、この関連技術として、ＰＣディスプレイにおける輝度信号や同期信号等のビデオ信号の状態を通常の表示状態と比較することによりスクリーンセーバが動作しているか否かを判定するシステムが開示されている（特許文献４）。また、スクリーンセーバの動作時にユーザがパスワードを入力することによりスクリーンセーバの動作解除を行うシステム開示されている（特許文献５）。
【先行技術文献】
【特許文献】
【０００７】
【特許文献１】特開２００５−０９９５１５号公報
【特許文献２】特開２０１０−２３１５１５号公報
【特許文献３】特開２００９−２５８８６５号公報
【特許文献４】特開２０００−２１９４７０号公報
【特許文献５】特開２０００−１６３０３４号公報
【発明の概要】
【発明が解決しようとする課題】
【０００８】
しかしながら、上記特許文献１に記載の関連技術では、外部モニタを利用するＰＣ、即ち、モニタと表示データ出力ケーブルを介して接続されたデスクトップパーソナルコンピュータ（ＤＰＣ）など外部に表示装置を持つＰＣではスクリーンセーバの起動および終了を検知することができないという不都合が生じ得る。
【０００９】
また、上記特許文献２に記載の関連技術では、ＰＣの通常使用時においては省電力化を実現可能とするものの、スクリーンセーバー表示時には消費電力を低減することができないという不都合がある。
【００１０】
さらに、上記特許文献３に記載の関連技術では、スクリーンセーバやスタンバイ状態を使用者が不用意に解除してしまった場合は、再度スクリーンセーバやスタンバイ状態に入るまでの期間、ＬＣＤモニタ等の表示装置は高輝度で画面表示されることとなり、無駄な電力を消費してしまうといった不都合が生じ得る。
【００１１】
また、上記特許文献４及び５に記載の関連技術では、スクリーンセーバやスタンバイ状態を使用者が不用意に解除されることを抑制することはできるが、スクリーンセーバーが表示されている間は無駄な電力を消費してしまうという不都合がある。更に、ＰＣの動作状態を通常使用状態に復帰させるのに手間や時間がかかってしまうという不都合があった。
【００１２】
［発明の目的］
本発明は、上記関連技術の有する不都合を改善し、コンピュータの外部モニタにおけるコンピュータ使用時の電力消費を有効に軽減し得る出力画面制御システム、出力画面制御方法、およびそのプログラムを提供することを、その目的とする。
【課題を解決するための手段】
【００１３】
上記目的を達成するために、本発明に係る出力画面制御システムは、予め設定されたプログラムに基づく演算処理を行う計算装置と、この計算装置から送り込まれた前記演算処理結果を予め設定された表示輝度で外部モニタの表示部に出力表示するモニタ制御部とを備えた出力画面制御システムであって、
前記計算装置が、予め装備した入力デバイスから一定期間入力がない場合に稼働して前記モニタ制御部に対してスクリーンセーバの出力表示を指令するスクリーンセーバ表示指令機能を備えた演算処理部と、前記スクリーンセーバの表示指令が前記モニタ制御部に対して成された場合にこれを検出するスクリーンセーバ起動検出部と、前記スクリーンセーバの表示指令が検出された場合に前記外部モニタ表示部の表示輝度を予め設定された低輝度値に設定制御する輝度制御部とを備えていることを特徴とする。
【００１４】
又、本発明にかかる出力画面制御方法は、予め設定されたプログラムに基づく演算処理を行う計算装置と、この計算装置から送り込まれた前記演算処理結果を予め設定された表示輝度で外部モニタの表示部に出力表示するモニタ制御部とを備えた出力画面制御システムを使用して前記外部モニタ表示部における画像出力を制御する出力画面制御方法であって、
予め装備した入力デバイスから一定期間入力がない場合に稼働し、前記計算装置の演算処理部が前記モニタ制御部に対してスクリーンセーバの出力表示を指令し（スクリーンセーバ表示指令発信工程）、
前記スクリーンセーバの出力表示の指令が前記モニタ制御部に対してなされた場合に、前記計算装置のスクリーンセーバ起動検出部がこれを検出し（スクリーンセーバ指令検出工程）、
前記スクリーンセーバの起動が検出された場合に前記外部モニタ表示部の表示輝度を予め設定された低輝度値に、前記計算装置の輝度制御部が設定制御するようにしたこと（スクリーンセーバ設定工程）を特徴とする。
【００１５】
又、本発明にかかる画面表示制御プログラムは、予め設定されたプログラムに基づく演算処理を行う計算装置と、この計算装置から送り込まれた前記演算処理結果を予め設定された表示輝度で外部モニタの表示部に出力表示するモニタ制御部とを備えた出力画面制御システムにあって、
予め装備した入力デバイスから一定期間入力がない場合に稼働し、前記モニタ制御部に対してスクリーンセーバの出力表示を指令するスクリーンセーバ表示指令処理機能、
前記スクリーンセーバの設定が前記モニタ制御部に対して指令された場合に、直ちに当該指令を検出するスクリーンセーバ指令検出処理機能、
および前記スクリーンセーバの起動が検出された場合に、前記外部モニタ表示部の表示輝度を予め設定された低輝度値に設定制御するスクリーンセーバ設定処理機能を設け、
これらの各処理機能を前記計算装置が備えているコンピュータに実現させるようにしたことを特徴とする
【発明の効果】
【００１６】
本発明は、以上のように構成されているので、これによると、予め装備した入力デバイスから一定期間入力がない場合にスクリーンセーバが有効に機能して外部モニタ表示部の表示輝度を予め設定された低輝度値に設定制御するようにしたので、計算装置の使用時の電力消費を有効に軽減することができるという上記関連技術にない優れた出力画面制御システム、出力画面制御方法、および出力画面制御プログラムを提供することができる。
【図面の簡単な説明】
【００１７】
【図１】本実施形態１に係る出力画面制御システムの一例を示す概略ブロック図である。
【図２】図１に開示した出力画面制御システムにおける全体的な動作を示すフローチャートである。
【図３】図３（ａ）は、ＬＣＤモニタにおけるデスクトップ画面の一表示例を示す説明図である。図３（ｂ）は、ＬＣＤモニタにおけるスクリーンセーバの一表示例を示す説明図である。図３（ｃ）は、ＬＣＤモニタにおけるログオン用画面の一表示例を示す説明図である。
【図４】本実施形態２に係る出力画面制御システムの一例を示す概略ブロック図である。
【図５】図４に開示した出力画面制御システムにおける全体的な動作を示すフローチャートである。
【図６】図６（ａ）はＬＣＤモニタにおけるマルチディスプレイ画面の一表示例を示す説明図、図６（ｂ）は一方のＬＣＤモニタにスクリーンセーバを表示すると共に他方のＬＣＤモニタに対する画面表示を停止した状態の一例を示す説明図、図６（ｃ）は一方のＬＣＤモニタにログイン用画面を表示すると共に他方のＬＣＤモニタに対する画面表示を停止したときのそれぞれのモニタにおける表示一例を示す説明図である。
【発明を実施するための形態】
【００１８】
［実施形態１］
以下、本発明の出力画面制御システムにかかる実施形態１を図１乃至３に基づいて説明する。最初に、出力画面制御システムの基本的な内容について説明し、その後に具体的内容を説明する。
【００１９】
図１において、本実施形態１における出力画面制御システムは、予め設定されたプログラムに基づく演算処理を行うパーソナルコンピュータ（計算装置）１０と、このパーソナルコンピュータ（以下「ＰＣコンピュータ」という）１０から送り込まれた演算処理結果を予め設定された表示輝度で外部モニタ（ＬＣＤモニタ）３０の表示部３１に出力表示するモニタ制御部（３３，１５）とを備えている。
【００２０】
そして、ＰＣコンピュータ１０は、予め装備した入力デバイスから一定期間入力がない場合に稼働して前記モニタ制御部（３３，１５）に対してスクリーンセーバの出力表示を指令するスクリーンセーバ表示指令機能を備えた演算処理部１と、前記スクリーンセーバの表示指令が前記モニタ制御部（３３，１５）に対して成された場合にこれを検出するスクリーンセーバ起動検出部１７と、前記スクリーンセーバの表示指令が検出された場合に前記外部モニタ表示部３１の表示輝度を予め設定された低輝度値に設定制御する輝度制御部１９とを備えている。
【００２１】
ここで、外部モニタ（ＬＣＤモニタ）３０は、図１に示すようにＬＣＤバックライトを備えた外部液晶ディスプレイにより構成されている。尚、ＰＣコンピュータ１０は、本実施形態１では図１に示すように、モニタと一体型のコンピュータではなく、外部モニタとしてのＬＣＤモニタ３０に対して出力表示を行うように構成されたものが使用されている。
【００２２】
ここで、ＰＣコンピュータ１０とＬＣＤモニタ３０は、アナログＲＧＢやＤＶＩ等の画像信号とＤＤＣ／ＣＩ（Ｄisply Ｄata Ｃhannel／Ｃommand  Ｉnterface）と呼ばれる双方向通信の信号が一体となった複合通信ケーブルで接続されるものとする。尚、図１では、画像信号回線（以下「画像信号」という）６０と通信信号回線（以下「通信信号」という）７０とを便宜上それぞれ別々に記載している。
【００２３】
また、ＰＣコンピュータ１０は、具体的には図１に示すように、キーボード４０およびマウス５０を含む入出力デバイス２と、入出力デバイス２からの入力データを受け付けると共にＰＣ内バス２０を介して演算処理部１に通知するＩ／Ｏ制御部１４と、使用者（ユーザ）がキーボード４０またはマウス５０を一定時間操作しない場合にＬＣＤモニタ３０の画面焼き付きを防止するためのスクリーンセーバ機能を起動する演算処理部１とを備えている。
【００２４】
このＰＣコンピュータ１０は、更に、演算制御部１から出力されるコマンド信号（命令）を解析して各種イベントの検出を行うイベント検出部１６と、イベント検出部１６からのイベント通知の内容に基づきビデオ信号制御部１５を介してＬＣＤモニタ３０の輝度を制御する輝度制御部１９と、輝度制御部１９および演算処理部１からの制御指令に基づきＬＣＤモニタ３０に対する画像出力の制御を行うビデオ信号制御部１５を備えた構成を有する。
【００２５】
ここで、上記ビデオ信号制御部１５と後述する画像処理ＭＰＵ３３とにより、前述したモニタ制御部が構成されている。このため、モニタ制御部（３３，１５）の制御内容は、それぞれビデオ信号制御部１５と後述する画像処理ＭＰＵ３３との連係動作で、実現されるようになっている。
【００２６】
ＬＣＤモニタ３０は、ＰＣコンピュータ１０内のビデオ信号制御部１５から送信される画像信号をスケーリング処理すると共に液晶パネル３１に対する画像表示を行う画像処理ＭＰＵ部３３を備えている。この画像処理ＭＰＵ部３３は、インバータ３２に対してＰＷＭ信号等の輝度調整信号を送信することにより液晶パネル３１のバックライトの点灯制御を行うバックライト制御機能と、輝度制御用の輝度設定値を保持する輝度設定値保持機能を備えている。
【００２７】
演算処理部１は、上述したように、使用者（ユーザ）がキーボード４０又はマウス５０を一定時間操作しない場合にＬＣＤモニタ３０の画面焼き付きを防止するためのスクリーンセーバを起動する。このとき、ＣＰＵ手段１１は、ビデオ信号制御部１５に対してスクリーンセーバ起動の命令信号を出力する。
【００２８】
また、演算処理部１は、イベント検出部１６，輝度制御部１９，ビデオ信号制御部１５およびＩ／Ｏ制御部１４のそれぞれにおけるデータ処理を予め設定されたプログラムに基づき実行するＣＰＵおよびキャッシュなどを含むＣＰＵ手段１１と、処理対象のデータおよびプログラムを一時的に記憶する一次記憶装置としてのメモリ手段１２と、ＰＣコンピュータ１００におけるＯＳや予め設定された各種プログラムを格納する記憶手段（ＨＤＤ：ハードディスクドライブ）１３を備えている。
【００２９】
この演算処理部１は、更に、使用者（ユーザ）がキーボード４０又はマウス５０を一定時間操作しない場合に、上述したように、ＬＣＤモニタ３０の画面焼き付きを防止するためのスクリーンセーバを起動する（スクリーンセーバ機能）。
尚、演算処理部１、Ｉ／Ｏ制御部１４、ビデオ信号制御部１５、およびイベント検出部１６は内部バス２０を介してデータのやり取りを行うものとする。
【００３０】
また、ＣＰＵ手段１１は、ＬＣＤモニタ３０にログオン画面が表示された状態でユーザーＩＤおよびパスワードを入力された場合に、入力内容に基づきログオン処理を実行する（ログオン処理実行機能）。
ここで、ログオン処理（ログオン認証）が成功した場合に、ＣＰＵ手段１１はビデオ信号制御部１５を介してＬＣＤモニタ３０にデスクトップ画面を出力する。
【００３１】
又、ＣＰＵ手段１１は、ＬＣＤモニタ３０にスクリーンセーバーが表示されている状態で、使用者によるキーボード４０又はマウス５０による入力操作を検知した場合に、ビデオ信号制御部１５を介してＬＣＤモニタ３０に命令を送ることによってスクリーンセーバーを解除し、ユーザーＩＤおよびパスワードを求めるログオン用画面を表示する。
【００３２】
このＣＰＵ手段１１は、更に、ログオン画面が表示された状態で、使用者がユーザーＩＤおよびパスワードを入力すると、ログオン処理を実行する（ログオン処理実行部）。また、ＣＰＵ手段１１はログオン処理を完了すると、ＬＣＤモニタ３０にデスクトップ画面を表示する。
【００３３】
ビデオ信号制御部１５は、画像信号６０および通信信号７０の送受信を行うことにより画像処理ＭＰＵ部３３と双方向通信を行う機能を有する。また、ビデオ信号制御部１５は、ＬＣＤモニタ３０内の画像処理ＭＰＵ３３と接続されており、ＰＣコンピュータ１０における処理結果を画像信号６０および通信信号７０を使用してＬＣＤモニタ３０へ出力する。
【００３４】
尚、本実施形態１では、ビデオ信号制御部１５および画像処理ＭＰＵ部３３の間の通信にＤＤＣ／ＣＩ通信を用いているが、ＵＳＢ等双方向通信が可能は手段で代用してもよい。
【００３５】
イベント検出部１６は、ＣＰＵ手段１１から出力される指令データを常時監視すると共に、上記指令データとしてのスクリーンセーバー起動命令の検出を行うスクリーンセーバ起動検出部１７と、ＣＰＵ手段１１によるログオン処理が完了したことを検知するログオン完了検出部１８を含み構成される。
【００３６】
また、イベント検出部１６は、上述のように、ＣＰＵ手段１１から出力されるコマンド信号（命令）を解析して各種イベントを検出するイベント検出機能を有する。尚、イベント検出部１６は、ＣＰＵ手段１１から出力されるコマンド信号を常時監視している。
更に、イベント検出部１６は、検出したイベントを示す情報を輝度制御部１９に通知する検出イベント通知機能を有する。
【００３７】
また、イベント検出部１６は、輝度制御部１９に対してスクリーンセーバー起動検出部１７でスクリーンセーバーが起動されたことが検出された場合に、これを通知する起動通知機能を備えているものとする。
【００３８】
また、スクリーンセーバー起動検出部１７は、スクリーンセーバーが起動されたか否かを監視するスクリーンセーバ起動監視機能を備えている。これにより、例えば、ＰＣ１０の使用者が離席等でキーボード４０またはマウス５０を一定期間操作していない場合に、演算処理部１はスクリーンセーバーを起動することができ、このとき、スクリーンセーバー起動検出部１７は、ＣＰＵ手段１１から出力されたコマンド信号に基づいてスクリーンセーバーが起動されたことを検出する。
【００３９】
ログオン完了検出部１８は、スクリーンセーバーが起動している状態でキーボード４０に対するキー入力があったこと、またはマウス５０が動かされたことが検知された場合に、演算処理部１は、ビデオ信号制御部１５を介してスクリーンセーバーの表示状態を解除すると共にＬＣＤモニタ３０にログオン画面を表示する。ここで、ＬＣＤモニタ３０におけるログオン用画面の一例を図３（ｃ）に示す。
【００４０】
ここで、ログオン用画面に対してユーザーＩＤおよびパスワードの入力がなされ、これに基づく認証が正常に為された場合に、演算処理部１がログオン処理を実行する（ログオン処理機能）。さらに、このログオン処理が完了すると、演算処理部１は、ＬＣＤモニタ３０にデスクトップ画面（つまり、ユーザＩＤに対応したデスクトップフォルダの状態を示す画面）を出力表示する。
【００４１】
又、ログオン完了検出部１８が演算処理部１によるログオン処理が完了したことを検出した場合、イベント検出部１６は、上述のように、ログオン処理が完了したことを輝度制御部１９に通知する機能を備えている（ログオン処理完了通知）。
【００４２】
輝度制御部１９は、イベント検出部１６からのイベント通知の内容に基づき、ビデオ信号制御部１５および通信信号７０を介して画像処理ＭＰＵ部３３からＬＣＤモニタ３０における輝度設定値を取得する輝度設定値取得機能１９Ａを備えている。
【００４３】
また、輝度制御部１９はビデオ信号制御部１５および通信信号７０を介してＬＣＤモニタ３０内の画像処理ＭＰＵ部３３にアクセスし、予め記憶された輝度設定値を更新する輝度設定値更新機能を備えている。
【００４４】
さらに、輝度制御部１９は、イベント検出部１６からログオン処理完了通知を受けた場合に、ビデオ信号制御部１５および通信信号７０を介して画像処理ＭＰＵ３３にアクセスし、ＤＤＣ／ＣＩ通信を利用して予め取得・保存していた輝度設定値（１）を画像処理ＭＰＵ部３３に設定する。
【００４５】
輝度制御部１９は、ビデオ信号制御部１５（および通信信号７０）を介してＤＤＣ／ＣＩ通信にて画像処理ＭＰＵ部３３に対してアクセスを行うと共に、画像処理ＭＰＵ部３３内に予め設定されている輝度設定値を取得する輝度設定値取得機能を備えている。
【００４６】
ここで、上記輝度設定値として、使用者がＰＣコンピュータ１０を快適に操作するための、ＬＣＤモニタ３０における明るい輝度設定値（この輝度設定値のことを輝度設定値（１）とする）が予め設定されているものとする。
【００４７】
また、輝度制御部１９は、ビデオ信号制御部１５および通信信号７０を介してＤＤＣ／ＣＩ通信にて画像処理ＭＰＵ部３３にアクセスし、画像処理ＭＰＵ部３３内に設定されている輝度設定値を予め設定された最小輝度に変更設定する輝度設定値変更機能を備えている。
更に、輝度制御部１９は、ログオン処理の完了が検知された場合にＬＣＤモニタ３０における表示輝度を予め取得した高輝度値に戻す（切換え設定する）制御を行う高輝度設定機能１９Ｂを備えている。
【００４８】
このため、画像処理ＭＰＵ部３３は、インバータ３２に対して送信するＰＷＭ信号等の輝度調整信号を制御する液晶パネル３１のバックライトの輝度を最小値に設定することが可能となる。これにより、スクリーンセーバーが表示されているＬＣＤモニタ３０の輝度は最小輝度となる。このときのＬＣＤモニタ３０の表示画面例を図３（ｂ）に示す。
【００４９】
また、これにより、画像処理ＭＰＵ部３３は、輝度設定値に基づきインバータ３２へ送信するＰＷＭ信号等の輝度調整信号を制御することが可能となる。このとき、画像処理ＭＰＵ部３３は液晶パネル３１のバックライトの輝度をスクリーンセーバー設定前の輝度（高輝度）に戻す処理を行う。
【００５０】
このため、ＬＣＤモニタ３０の輝度は、デスクトップ画面（ログイン処理後のデスクトップフォルダ画面）が表示されると、使用者がＰＣコンピュータ１０を快適に操作するための輝度として予め設定された輝度（高輝度）で出力表示される。
【００５１】
ここで、図３（ａ）に、使用者がＰＣコンピュータ１０を操作しているときのＬＣＤモニタ３０の表示画面の一例を示す。このとき、ＬＣＤモニタ３０の表示画面には、視認性の高い輝度（高輝度）でデスクトップ画面が表示されているものとする。高輝度表示されていることから、ユーザはＰＣコンピュータ１０を快適に操作することが可能となる。
【００５２】
尚、本実施形態１では、ＬＣＤモニタ３０の輝度を最小輝度となるよう制御しているが、使用者が任意の輝度（たとえば、最小輝度ではログオン画面の操作に不都合が生じる場合などは、ログオン画面の操作ができる程度の輝度）を輝度制御部１９へ設定できるようにしておき、その任意の輝度を画像処理ＭＰＵ部３３へ設定できるようにしてもよい。
また、本実施形態１では、ビデオ信号制御部１５および画像処理ＭＰＵ部３３間の通信にＤＤＣ／ＣＩ通信を用いているが、ＵＳＢ等双方向通信が可能な手段により代用してもよいものとする。
【００５３】
［実施形態１の動作］
次に、上記実施形態の動作内容について、その概略を説明する。
まず、入出力デバイス２から一定期間入力がない場合に、コンピュータ（計算装置）１０の演算処理部１は、モニタ制御部（３３，１５）に対してスクリーンセーバの出力表示を指令する（スクリーンセーバ表示指令発信工程）。
【００５４】
このスクリーンセーバの出力表示がモニタ制御部（３３，１５）に対して指令された場合、コンピュータ（計算装置）１０のスクリーンセーバ起動検出部１７がこれを検出する（スクリーンセーバ指令検出工程）。続いて、このスクリーンセーバの起動が検出された場合に前記外部モニタ表示部３１の表示輝度を予め設定された低輝度値に、コンピュータ（計算装置）１０の輝度制御部１９が設定制御するようにした（スクリーンセーバ設定工程）。
【００５５】
即ち、演算処理部１がＬＣＤモニタ（外部モニタ）３０に対してスクリーンセーバの出力を行い（スクリーンセーバ出力工程）、イベント検出部１６がスクリーンセーバの起動を検出する（スクリーンセーバ起動検出工程）。次いで、輝度制御部１９がＬＣＤモニタ３０における表示輝度を示す輝度値を取得する（輝度設定値取得工程）。
【００５６】
続いて、イベント検出部１６がスクリーンセーバの起動を検出した場合に、演算処理部１は、ＬＣＤモニタ３０における表示輝度を予め設定された低輝度値に抑制する。
また、イベント検出部１６がスクリーンセーバーの出力表示が解除されたこと検知した場合に、外部モニタに対して予め設定されたログオン用画面を低輝度で出力する（低輝度設定工程／スクリーンセーバ設定工程）。
【００５７】
最後に、演算処理部１はログオン用画面に対する入力内容に基づきログオン処理を行う（ログオン処理工程）と共に、ログオン処理の完了を検知した場合に外部モニタにおける表示輝度を予め取得した高輝度値に戻す制御を行う（高輝度設定工程／輝度切換え設定工程）。
【００５８】
即ち、前記スクリーンセーバーの出力表示が解除されたことを前記スクリーンセーバ起動検出部１７が検知した場合に、前記外部モニタ３０に対して設定されたログオン用画面を、前記輝度制御部１９が高輝度に切換設定するようにし（輝度切換え設定工程）、
前記輝度制御部１９が前記ログオン用画面を高輝度に切換設定した場合に、前記ログオン用画面に対する入力内容に基づいて、前記演算処理部１がログオン処理を実行するようにする（ログオン処理実行工程）。
【００５９】
以下、これを図２のフローチャートに基づいて、更に詳述する。
【００６０】
まず、イベント検出部１６内のスクリーンセーバー起動検出部１７が、スクリーンセーバーが起動されたか否かを監視しているものとする（図３：ステップＳ１００）。
ここで、使用者が離席等でキーボード４０又はマウス５０を一定期間操作していない場合に、ＰＣコンピュータ１０の演算処理部１がスクリーンセーバーを起動する。
【００６１】
このとき、イベント検出部１６内のスクリーンセーバー起動検出部１７は、スクリーンセーバーが起動されたことを検出すると共に、輝度制御部１９に対してスクリーンセーバーが起動されたことを通知する（図３：ステップＳ１０１／イエス）。
ここで、スクリーンセーバー起動が検出されない場合（図３：ステップＳ１０１／ノー）はスクリーンセーバ監視機能が継続して実行される。
【００６２】
輝度制御部１９は、ビデオ信号制御部１５および通信信号７０を介して画像処理ＭＰＵ３３に対してＤＤＣ／ＣＩ通信を利用したアクセスを行い、画像処理ＭＰＵ３３内に予め設定されている現在の輝度設定値を取得し保存する（図３：ステップＳ１０２）。
【００６３】
ここで、現在の輝度設定値とは、使用者がＰＣコンピュータ１０を快適に操作するためにＬＣＤモニタ３０の画面が明るくなるよう、つまり高輝度に設定された既定の輝度設定値を示すものとする。以下、この輝度設定値のことを輝度設定値（１：高輝度）とする。
【００６４】
次に、輝度制御部１９は、ビデオ信号制御部１５および通信信号７０を介してＤＤＣ／ＣＩ通信にて画像処理ＭＰＵ３３にアクセスすると共に、画像処理ＭＰＵ３３内に設定されている輝度設定値を最小輝度となるよう設定する（図３：ステップＳ１０３）。
【００６５】
ここで、画像処理ＭＰＵ３３は、インバータ３２へ送信するＰＷＭ信号等の輝度調整信号を制御し、液晶パネル３１のバックライトの輝度を最小とする。
これにより、スクリーンセーバーが表示されているＬＣＤモニタ３０の輝度は最小輝度となる。ここで、このときのＬＣＤモニタ３０の表示画面例を図３（ｂ）に示す。
【００６６】
次いで、ＰＣコンピュータ１０の使用者が、スクリーンセーバーが起動している状態でキーボード４０のキー入力を行う、またはマウス５０を動かすといった入力動作が行われた場合に演算処理部１は、これを検知しスクリーンセーバーを解除する。そして、演算処理部１は、ＬＣＤモニタ３０にログオン画面を表示する。ここで、このときのＬＣＤモニタ３０の画面表示状態（ログオン用画面の一例）を図３（ｃ）に示す。
【００６７】
このとき、イベント検出部１６のログオン完了検出部１８が、ＰＣコンピュータ１０のログオン処理が完了したか否かを継続して監視しているものとする（スクリーンセーバ起動監視機能）。
【００６８】
ここで、使用者がログオン画面に対してユーザーＩＤおよびパスワードを入力された場合に、演算処理部１が、上記入力されたユーザーＩＤおよびパスワードに基づくログオン処理を実行する。
【００６９】
次いで、ユーザ認証が正常になされ、ログオン処理が完了すると、演算処理部１は、ＬＣＤモニタ３０にデスクトップ画面を表示する（すなわち、ユーザＩＤに対応したデスクトップフォルダの状態を示す画面を出力表示する）。
このとき、ログオン完了検出部１８が、ログオン処理が完了したことを検出し、イベント検出部１６がログオン処理が完了したことを輝度制御部１９に通知する（図３：ステップＳ１０４／イエス）。
【００７０】
次いで、輝度制御部１９が、ログオン処理完了通知を受けたときに、ビデオ信号制御部１５および通信信号７０を介して、ＤＤＣ／ＣＩを利用して、画像処理ＭＰＵ３３に対するアクセスを行い、上記ステップＳ１０２で予め取得・保存していた輝度設定値（１）を画像処理ＭＰＵ３３に対して設定する（図３：ステップＳ１０５）。
【００７１】
これにより、画像処理ＭＰＵ部３３は、設定された輝度設定値に基づきインバータ３２へ送信するＰＷＭ信号等の輝度調整信号を制御することが可能となる。ここでは、画像処理ＭＰＵ３３は液晶パネル３１のバックライトの輝度をスクリーンセーバー起動前の輝度に戻す処理を行うものとする。
【００７２】
このとき、ＬＣＤモニタ３０にはデスクトップ画面（ログイン処理後のデスクトップフォルダ画面）が表示される。すなわち、ＬＣＤモニタ３０の画面表示状態は、図３（ａ）の状態に戻る。これにより、使用者がＰＣコンピュータ１０を快適に操作するための輝度として予め設定された輝度（高輝度）で出力表示される。
【００７３】
尚、本実施形態１の図３におけるステップＳ１０３ではＬＣＤモニタ３０の輝度を最小輝度に設定する制御を行なっているが、ＰＣコンピュータ１０の使用者が任意の輝度値（例えば、最小輝度ではログオン画面の操作に不都合が生じる場合などは、ログオン画面に対する操作が可能な程度の低輝度を示す値）を輝度制御部１９に設定し、この任意の輝度を画像処理ＭＰＵ３３に設定する構成としてもよい。
【００７４】
また、上述した動作説明で開示したスクリーンセーバ出力工程，スクリーンセーバ起動検出工程を含む各実行工程については、そのその実行内容をプログラム化し、コンピュータに実行させるように構成してもよい。後述する各実施形態においても同様である。
また、本プログラムは、非一時的な記憶媒体、例えば、ＤＶＤ、ＣＤ、フラッシュメモリなどに記録されてもよい。その場合、本プログラムは、記録媒体からコンピュータによって読み出され、実行される。
【００７５】
以上のように、本実施形態では、スクリーンセーバの起動およびログオン処理の完了をＰＣコンピュータ内部で検出し、これに基づいてデスクトップ画面を表示しているときのみ使用者がＰＣコンピュータ１０を快適に操作できる高輝度でＬＣＤモニタ３０における画像出力表示を行う。これにより、高輝度出力表示を必要としないスクリーンセーバ表示時やログオン画面表示時には低輝度表示が行われ、このため、ＬＣＤモニタ３０における消費電力を有効に軽減することが可能となる。
【００７６】
［実施形態２］
次に、本発明にかかる他の実施形態である実施形態２について説明する。
この実施形態２では、パーソナルコンピュータ（以下「ＰＣ」という）１０に対して異なる複数のＬＣＤモニタ３０，８０を備えた点が実施形態１の場合と相違する。
【００７７】
以下、これを詳説する。図４は、上述した実施形態１に開示した発明に加えて、以下の構成が追加されたブロック図である。
本実施形態２としての出力画面制御システム１０２は、図４に示すように、それぞれＬＣＤバックライトを備えたＬＣＤモニタ３０，８０と、自己における処理内容を外部液晶ディスプレイであるＬＣＤモニタ３０および８０のそれぞれに対して出力表示するＰＣ１０を備えた構成を有する。
【００７８】
尚、ＬＣＤモニタ３０とＬＣＤモニタ８０はＰＣ１０に対してそれぞれ接続されており、この２台のＬＣＤモニタで単一の画面を表示するマルチモニタ表示が可能であるものとする。
【００７９】
また、ＰＣ１０は、実施形態１と同様に、ＬＣＤモニタ３０，８０それぞれと一体型のコンピュータではなく、外部モニタとしてのＬＣＤモニタ３０，８０それぞれに対して出力表示を行うものとする。
【００８０】
ここで、ＰＣ１０とＬＣＤモニタ３０はアナログＲＧＢやＤＶＩ等の画像信号とＤＤＣ／ＣＩ（Ｄisplay  Ｄata Ｃhannel／Ｃommand  Ｉnterface）と呼ばれる双方向通信の信号が一体となった複合通信ケーブル６５で接続され、ＰＣ１０とＬＣＤモニタ８０も同様に双方向通信の信号が一体となった複合通信ケーブルで接続されているものとする。
尚、図４においても図１に開示した技術内容の場合と同様に、画像信号６０と通信信号７０、画像信号９０と通信信号１００を便宜上それぞれ別々に記載している。
【００８１】
また、スクリーンセーバは、ＬＣＤモニタ３０および８０に表示され、ログオン用画面はプライマリモニタ側に表示されるものとする。更に、ＰＣ１０内にビデオ信号制御部１５および２１を備えている。
【００８２】
ＰＣ（ＰＣ）１０は、図４に示すように、キーボード４０およびマウス５０を含む入出力デバイス２と、ＰＣ１０の使用者がキーボード４０またはマウス５０を一定時間操作しない場合にＬＣＤモニタ３０、８０における画面焼き付きを防止するためのスクリーンセーバ機能を起動する演算処理部１と、  入出力デバイス２からの入力データを受け付けバス２０を介して演算処理部１に通知するＩ／Ｏ制御部１４を備えている。
【００８３】
また、ＰＣ１０は、演算制御部１から出力されるコマンド信号（命令）を解析して各種イベントの検出を行うイベント検出部１６と、イベント検出部１６からのイベント通知の内容に基づきビデオ信号制御部１５を介してＬＣＤモニタ３０の輝度を制御する輝度制御部１９と、輝度制御部１９および演算処理部１からの制御指令に基づきＬＣＤモニタ３０に対する画像出力の制御を行うビデオ信号制御部１５と、このビデオ信号制御部１５と同様に輝度制御部１９および演算処理部１からの制御指令に基づきＬＣＤモニタ８０に対する画像出力の制御を行うビデオ信号制御部２１を備えた構成を有する。
【００８４】
ＬＣＤモニタ３０は、ＰＣ１０内のビデオ信号制御部１５から送信された画像信号をスケーリング処理し液晶パネル３１に対して画像表示を行う画像処理ＭＰＵ部３３を備えている。又、画像処理ＭＰＵ部３３は、インバータ３２に対してＰＷＭ信号等の輝度調整信号を送信し液晶パネル３１のバックライトの点灯制御を行うバックライト制御機能と、輝度制御用の輝度設定値を保持する輝度設定値保持機能を備えている。
ここで、前述した実施形態１の場合と同様に、この実施形態２でも、ビデオ信号制御部１５と画像処理ＭＰＵ部３３とにより、外部モニタ３０用のモニタ制御部が構成されている。
【００８５】
また、ＬＣＤモニタ８０は、ＬＣＤ３０と同様の内部構成を備えており、ＰＣ１０内のビデオ信号制御部２１から送信された画像信号をスケーリング処理し液晶パネル８１に対して画像表示を行う画像処理ＭＰＵ部８３を備えている。また、画像処理ＭＰＵ部８３は、インバータ８２に対してＰＷＭ信号等の輝度調整信号を送信し液晶パネル８１のバックライトを制御するバックライト制御機能と、輝度制御用の輝度設定値を保持する輝度設定値保持機能を備えているものとする。
【００８６】
そして、この場合も、前述した実施形態１の場合と同様に、この実施形態２でも、ビデオ信号制御部２１と画像処理ＭＰＵ部８３とにより、外部モニタ８０用のモニタ制御部（２１，８３）が構成され、前述した外部モニタ３０用のモニタ制御部（１５，３０）と同等に機能するようになっている。
【００８７】
また、ＬＣＤモニタ３０および８０は、ＰＣ１０のビデオ信号制御部１５および２１それぞれからの画像信号が停止した場合に、画面表示を停止しバックライトをオフする画像出力停止機能１９Ｃを、それぞれが前記各モニタ制御部の機能として有している。
【００８８】
演算処理部１は、イベント検出部１６、輝度制御部１９、ビデオ信号制御部１５、２１、およびＩ／Ｏ制御部１４それぞれにおけるデータ処理を予め設定されたプログラムに基づき実行するＣＰＵおよびキャッシュなどを含むＣＰＵ手段１１と、処理対象のデータおよびプログラムを一時的に記憶する一次記憶装置としてのメモリ手段１２と、ＰＣ１００におけるＯＳや予め設定された各種プログラムを格納する記憶手段（ＨＤＤ：ハードディスクドライブ）１３を有するものとする。
尚、演算処理部１、Ｉ／Ｏ制御部１４、ビデオ信号制御部１５、およびイベント検出部１６は内部バス２０を介してデータのやり取りを行うものとする。
【００８９】
また、演算処理部１は、異なる２つＬＣＤモニタ３０，８０のうちの一方の外部モニタをプライマリモニタ、他の外部モニタをセカンダリモニタとして設定する（プライマリモニタ決定部に対応）を有数する。
【００９０】
さらに、演算処理部１は、上述のように、使用者がキーボード４０またはマウス５０を一定時間操作しない場合に、ＬＣＤモニタ３０または８０のうちのプライマリモニタに設定されたモニタに対して画面焼き付きを防止するためのスクリーンセーバーを出力表示するスクリーンセーバ機能を起動する。このとき、ＣＰＵ手段１１は、ビデオ信号制御部１５に対してスクリーンセーバー起動の命令信号を出力する。
【００９１】
又、ＣＰＵ手段１１は、ＬＣＤモニタ３０にログオン画面が表示された状態でユーザーＩＤおよびパスワードを入力された場合に、入力内容に基づきログオン処理を実行する（ログオン処理実行機能）。
ここで、ログオン処理（ログオン認証）が成功した場合に、ＣＰＵ手段１１はビデオ信号制御部１５または２１を介してプライマリモニタに設定されたＬＣＤモニタ（３０または８０）にＰＣ１０に予め設定されたＯＳのデスクトップ画面を出力する。
【００９２】
ＣＰＵ手段１１は、プライマリモニタであるＬＣＤモニタ３０または８０にスクリーンセーバーが表示されている状態で、使用者によるキーボード４０またはマウス５０による入力操作を検知した場合に、スクリーンセーバが表示されているＬＣＤモニタに命令を送ることによってスクリーンセーバーを解除し、更には、ユーザーＩＤおよびパスワードを求めるログオン用画面を表示する（ログオン用画面出力命令機能）。
【００９３】
また、ＣＰＵ手段１１は、プライマリモニタにログオン用画面が表示された状態で、使用者がユーザーＩＤおよびパスワードが入力された場合、入力内容に基づくログオン処理を実行する（ログオン処理実行機能）。
【００９４】
ビデオ信号制御部１５は、画像信号６０および通信信号７０の送受信を行うことにより画像処理ＭＰＵ部３３と双方向通信を行う機能を有する。また、ビデオ信号制御部１５は、ＬＣＤモニタ３０内の画像処理ＭＰＵ３３と接続されており、ＰＣ１０における処理結果を画像信号６０および通信信号７０を使用してＬＣＤモニタ３０へ出力する。
【００９５】
尚、本実施形態では、ビデオ信号制御部１５及び画像処理ＭＰＵ部３３の間の通信にＤＤＣ／ＣＩ通信を用いているが、ＵＳＢ等双方向通信が可能は手段で代用してもよい。
【００９６】
イベント検出部１６は、ＣＰＵ手段１１から出力される指令データを常時監視すると共に、上記指令データとしてのスクリーンセーバー起動命令の検出を行うスクリーンセーバ起動検出部１７と、ＣＰＵ手段１１によるログオン処理が完了したことを検知するログオン完了検出部１８を含み構成される。
【００９７】
また、イベント検出部１６は、上述のように、ＣＰＵ手段１１から出力されるコマンド信号（命令）を解析して各種イベントを検出するイベント検出機能を有する。尚、イベント検出部１６は、ＣＰＵ手段１１から出力されるコマンド信号を常時監視している。
更に、イベント検出部１６は、検出したイベントを示す情報を輝度制御部１９に通知する検出イベント通知機能を有する。
【００９８】
また、イベント検出部１６は、輝度制御部１９に対してスクリーンセーバー起動検出部１７でスクリーンセーバーが起動されたことが検出された場合にこれを通知する起動通知機能を備えているものとする。
【００９９】
また、スクリーンセーバー起動検出部１７は、スクリーンセーバーが起動されたか否かを監視するスクリーンセーバ起動監視機能を備えている。これにより、例えば、ＰＣ１０の使用者が離席等でキーボード４０またはマウス５０を一定期間操作していない場合に、演算処理部１はスクリーンセーバーを起動することができ、このとき、スクリーンセーバー起動検出部１７は、ＣＰＵ手段１１から出力されたコマンド信号に基づいてスクリーンセーバーが起動されたことを検出する。
【０１００】
ログオン完了検出部１８は、スクリーンセーバーが起動している状態でキーボード４０に対するキー入力があったこと、またはマウス５０が動かされたことが検知された場合に、演算処理部１は、ビデオ信号制御部１５を介してスクリーンセーバーの表示状態を解除すると共にＬＣＤモニタ３０にログオン画面を表示する。ここで、ＬＣＤモニタ３０におけるログオン用画面の一例を図３（ｃ）に示す。
【０１０１】
ここで、ログオン用画面に対してユーザーＩＤおよびパスワードの入力がなされ、これに基づく認証が正常に為された場合に、演算処理部１がログオン処理を実行する。さらに、このログオン処理が完了すると、演算処理部１は、ＬＣＤモニタ３０にデスクトップ画面（つまり、ユーザＩＤに対応したデスクトップフォルダの状態を示す画面）を出力表示する（プライマリログオン処理機能）。
【０１０２】
尚、ログオン完了検出部１８が演算処理部１によるログオン処理が完了したことを検出した場合、イベント検出部１６は、上述のように、ログオン処理が完了したことを輝度制御部１９に通知する（ログオン処理完了通知）。
【０１０３】
輝度制御部１９は、イベント検出部１６からのイベント通知の内容に基づき、画像処理ＭＰＵ部３３からＬＣＤモニタ３０における輝度設定値を、また、画像処理ＭＰＵ部８３からＬＣＤモニタ８０における輝度設定値を取得するプライマリモニタ表示輝度取得機能１９Ｄを備えている。
【０１０４】
また、輝度制御部１９は、ビデオ信号制御部１５および通信信号７０を介してＬＣＤモニタ３０内の画像処理ＭＰＵ部３３にアクセスし、予め記憶された輝度設定値を更新する輝度設定値更新機能を備えている。また、  輝度制御部１９は、ビデオ信号制御部２１および通信信号回線１００を介してＬＣＤモニタ８０内の画像処理ＭＰＵ部８３にアクセスし予め記憶された輝度設定値を更新する輝度設定値更新機能を備えている。
【０１０５】
さらに、輝度制御部１９は、イベント検出部１６からログオン処理完了通知を受けた場合に、画像処理ＭＰＵ部３３にアクセスし、ＤＤＣ／ＣＩ通信を利用して予め取得・保存していた輝度設定値（１）を画像処理ＭＰＵ部３３に設定する。
【０１０６】
輝度制御部１９は、ビデオ信号制御部１５（および通信信号７０）を介してＤＤＣ／ＣＩ通信にて画像処理ＭＰＵ部３３に対してアクセスを行うと共に、画像処理ＭＰＵ部３３内に予め設定されている輝度設定値を取得する輝度設定値取得機能を備えている。
【０１０７】
ここで、上記輝度設定値として、使用者がＰＣ１０を快適に操作するための、ＬＣＤモニタ３０における明るい輝度設定値（この輝度設定値のことを輝度設定値（１）とする）が予め設定されているものとする。
【０１０８】
また、輝度制御部１９は、ビデオ信号制御部２１および通信信号回線１００を介してＤＤＣ／ＣＩ通信にて画像処理ＭＰＵ部８３にアクセスし、画像処理ＭＰＵ部８３内に設定されている輝度設定値を予め設定された最小輝度へと変更設定する輝度設定値変更機能を備えている。
【０１０９】
さらに、輝度制御部１９は、ビデオ信号制御部１５および２１を介して取得した情報に基づいて、ＬＣＤモニタ３０とＬＣＤモニタ８０のどちらがプライマリモニタに設定されているかを判別することが可能であるものとする。イベント検出部１６からの通知に基づき、ビデオ信号制御部１５および２１が出力する画像信号６０および９０の動作制御を行う。
【０１１０】
具体的には、輝度制御部１９は、ビデオ信号制御部１５および２１それぞれに対して制御信号を送ることにより、ビデオ信号制御部１５および２１それぞれにおける画像信号の出力／停止を制御することができるものとする。
【０１１１】
また、輝度制御部１９は、ログオン処理の完了が検知された場合にＬＣＤモニタ３０，および８０における画像表示を予め取得した輝度値（高輝度値）に設定する（マルチモニタ高輝度出力制御機能１９Ｅ）。
【０１１２】
尚、本実施形態２の輝度制御部１９は、ＰＣ１０に対するログオン処理が完了したことが検知された場合にＬＣＤモニタ３０，８０の輝度制御を行う。このため、ログオン処理にはパスワードは必須ではなく、例えば、指紋認証やカード認証によりログオン処理の完了が検知された場合にもログオン処理の検知を行うものとする。
【０１１３】
ここで、使用者がＰＣ１０を操作しているときのＬＣＤモニタ３０およびＬＣＤモニタ８０の画面表示状態を図６（ａ）に示す。ここでは、使用者がＰＣ１０を快適に操作できる高輝度で操作対象画面（例えば、デスクトップ画面）を表示しているものとする。
【０１１４】
［実施形態２の動作］
次に、上記実施形態２の動作内容について図５のフローチャートに基づき説明する。
【０１１５】
まず、イベント検出部１６内のスクリーンセーバー起動検出部１７が、演算処理部１によってスクリーンセーバの起動されたか否かを監視しているものとする（図５：ステップＳ２００）。そして、入出力デバイス２から一定期間入力がない場合に、ＰＣ１０の演算処理部１は、モニター制御部（３３，１５）又は（８３，２１）に対してスクリーンセイバの出力表示を指令する（スクリーンセイバ表示指令発信工程）。
【０１１６】
続いて、このスクリーンセイバの起動が検出された場合、スクリーンセーバー起動検出部１７からの検出信号を受けて、ＰＣ１０の輝度制御部１９が機能して、前記外部モニタ表示部３１の表示輝度を予め設定された低輝度に設定制御する。この輝度制御部１９による低輝度の設定は、モニター制御部（３３，１５）を介して実行される。
【０１１７】
この一連の流れは、具体的には以下のように実行される。
まず、スクリーンセーバー起動検出部１７はスクリーンセーバーが起動されたことを検出し、輝度制御部１９に対してスクリーンセーバーが起動されたことを通知する（図５：ステップＳ２０１／イエス）。
ここで、スクリーンセーバー起動が検出されない場合（図５：ステップＳ２０１／ノー）は、スクリーンセーバ監視機能が継続して実行される。
【０１１８】
輝度制御部１９は、ビデオ信号制御部１５および通信信号７０を介してＬＣＤモニタ３０の画像処理ＭＰＵ部３３およびＬＣＤモニタ８０の画像処理ＭＰＵ部８３それぞれに対してＤＤＣ／ＣＩ通信を利用したアクセスを行い、これにより取得した情報に基づいてＬＣＤモニタ３０とＬＣＤモニタ８０のどちらがプライマリモニタの設定となっているかを判定する（図５：ステップＳ２０２）。
【０１１９】
ここで、プライマリモニタがＬＣＤモニタ３０であった場合はステップＳ２０３に、また、プライマリモニタがＬＣＤモニタ８０であった場合はステップＳ３０３へ処理を移行する。
【０１２０】
プライマリモニタがＬＣＤモニタ３０であった場合、輝度制御部１９は、ビデオ信号制御部１５および通信信号７０を介して画像処理ＭＰＵ部３３にアクセスし、画像処理ＭＰＵ部３３内に設定されている現在の輝度設定値を取得し保存する（図５：ステップＳ２０３）。
【０１２１】
ここで、現在の輝度設定値とは、上記実施形態１の場合と同様に、使用者がＰＣ１０を快適に操作するためにＬＣＤモニタ３０の画面が明るくなるようつまり高輝度に設定された輝度設定値を示すものとする。この輝度設定値のことを輝度設定値（１）とする。
【０１２２】
次に、輝度制御部１９は、ビデオ信号制御部１５および通信信号７０を介して画像処理ＭＰＵ部３３にアクセスし、画像処理ＭＰＵ部３３内に設定されている輝度設定値を最小輝度となるように設定する（図５：ステップＳ２０４：輝度設定値を最小に設定）。
【０１２３】
これにより、画像処理ＭＰＵ部３３は、設定された輝度設定値に基づきインバータ３２へ送信するＰＷＭ信号等の輝度調整信号を制御することが可能となる。ここでは、画像処理ＭＰＵ部３３は液晶パネル３１のバックライトの輝度を最小値に設定する。これにより、スクリーンセーバーが表示されているＬＣＤモニタ３０の輝度は最小輝度となる。
【０１２４】
次いで、輝度制御部１９が、ビデオ信号制御部２１に対して画像信号９０を停止するよう命令を行う（図５：ステップＳ２０５）。これにより、ＬＣＤモニタ８０における画面表示が停止される。
このとき、ＬＣＤモニタ８０はバックライトがオフ状態に設定された省電力モードに移行するため、スクリーンセーバーはＬＣＤモニタ３０のみで出力表示された状態となる。図６（ｂ）に、このときのＬＣＤモニタ３０およびＬＣＤモニタ８０の画面表示状態の一例を示す。
【０１２５】
次いで、ＰＣ１０の使用者が、スクリーンセーバーが起動している状態でキーボード４０のキー入力を行ったりマウス５０を動かしたりする入力動作が行われた場合に演算処理部１は、これを検知しスクリーンセーバーを解除する。
【０１２６】
そして、演算処理部１は、プライマリモニタであるＬＣＤモニタ３０におけるスクリーンセーバを解除しログオン画面を出力表示する。ここで、  ここで、ＬＣＤモニタ３０および８０の画面表示状態を図６（ｃ）に示す。
【０１２７】
ここで、イベント検出部１６のログオン完了検出部１８が、ＰＣ１０のログオン処理が完了したか否かを継続して監視しているものとする（スクリーンセーバ起動監視機能）。
【０１２８】
次いで、使用者がログオン画面に対してユーザーＩＤおよびパスワードが入力された場合に、演算処理部１が、上記入力されたユーザーＩＤおよびパスワードに基づくログオン処理を実行する。
【０１２９】
演算処理部１は、ユーザ認証が正常に行われログオン処理が完了すると、ＬＣＤモニタ３０にデスクトップ画面を表示する（すなわち、ユーザＩＤに対応したデスクトップフォルダの状態を示す画面を出力表示する）。
このとき、ログオン完了検出部１８が、演算処理部１でのログオン処理が完了したことを検出し、イベント検出部１６がログオン処理が完了したことを輝度制御部１９に通知する（図５：ステップＳ２０６／イエス）。
【０１３０】
次いで、輝度制御部１９が、ログオン処理完了通知を受けたときに、ビデオ信号制御部１５および通信信号７０を介して画像処理ＭＰＵ３３に対するアクセスを行い、上記ステップＳ２０３で予め取得・保存していた輝度設定値（１）を画像処理ＭＰＵ３３に対して設定する（図５：ステップＳ２０７）。
【０１３１】
これにより、画像処理ＭＰＵ部３３は、インバータ３２へ送信するＰＷＭ信号等の輝度調整信号を制御し、液晶パネル３１のバックライトの輝度をスクリーンセーバー起動前の輝度に戻す。また、このとき、ＬＣＤモニタ３０にはデスクトップ画面が表示され、液晶パネル３１の輝度は使用者がパーソナルコンピュータ１０を快適に操作するための高輝度となる。
【０１３２】
次いで、輝度制御部１９は、ビデオ信号制御部２１に対して画像信号９０を出力するよう命令を行う（図５：ステップＳ２０８）。
これにより、ＬＣＤモニタ８０はバックライトをオンし、画面表示を開始する。このとき、ＬＣＤモニタ３０および８０の画面表示状態は、図６（ａ）の状態に戻る。
【０１３３】
一方、ステップＳ２０２において、プライマリモニタがＬＣＤモニタ８０であった場合、輝度制御部１９は、ビデオ信号制御部２１および通信信号９０を介して画像処理ＭＰＵ部８３にアクセスし、画像処理ＭＰＵ部８３内に設定されている現在の輝度設定値を取得し保存する（図５：ステップＳ３０３）。ここで、現在の輝度設定値を輝度設定値（２）とする。
【０１３４】
次に、輝度制御部１９は、ビデオ信号制御部２１および通信信号回線９０を介してＬＣＤモニタ８０画像処理ＭＰＵ部８３にアクセスすると共に、画像処理ＭＰＵ部８３内に設定されている輝度設定値を最小輝度となるように設定する（図５：ステップＳ３０４：輝度設定値を最小に設定）。
【０１３５】
これにより、画像処理ＭＰＵ部８３は、設定された輝度設定値に基づきインバータ８２へ送信するＰＷＭ信号等の輝度調整信号を制御することが可能となる。ここでは、画像処理ＭＰＵ部８３は液晶パネル８１のバックライトの輝度を最小値に設定する。これにより、スクリーンセーバーが表示されているＬＣＤモニタ８０の輝度は最小輝度となる。
【０１３６】
次いで、輝度制御部１９が、ビデオ信号制御部１５に対して画像信号６０の出力を停止するよう命令を行う（ステップＳ３０５）。これにより、ＬＣＤモニタ３０における画面出力表示が停止される。このとき、ＬＣＤモニタ３０はバックライトがオフ状態に設定された省電力モードに移行するため、ＬＣＤモニタ８０でのみスクリーンセーバーが表示された状態となる。
【０１３７】
次いで、パーソナルコンピュータ１０の使用者が、スクリーンセーバーが起動している状態（ＬＣＤモニタ８０で表示）でキーボード４０のキー入力を行ったりマウス５０を動かしたりする入力動作が行われた場合に演算処理部１はこれを検知し、ＬＣＤモニタ８０におけるスクリーンセーバーの表示状態を解除する。
【０１３８】
ここで、演算処理部１は、プライマリモニタであるＬＣＤモニタ８０におけるスクリーンセーバを解除した後、ＬＣＤモニタ８０にログオン画面を出力表示する。
【０１３９】
このとき、イベント検出部１６のログオン完了検出部１８が、パーソナルコンピュータ１０におけるログオン処理が完了したか否かを継続して監視しているものとする（スクリーンセーバ起動監視機能）。
【０１４０】
次いで、ＬＣＤモニタ８０のログオン画面に対して使用者によりユーザーＩＤおよびパスワードが入力された場合に、演算処理部１が、上記入力されたユーザーＩＤおよびパスワードに基づくログオン処理を実行する。
【０１４１】
演算処理部１は、ユーザ認証が正常に行われログオン処理が完了すると、ＬＣＤモニタ８０にデスクトップ画面を表示する（即ち、ユーザＩＤに対応したデスクトップフォルダの状態を示す画面を出力表示する）。又、このとき、ログオン完了検出部１８が、演算処理部１でのログオン処理が完了したことを検出し、イベント検出部１６がログオン処理が完了したことを輝度制御部１９に通知する（図５：ステップＳ３０６／イエス）。
【０１４２】
次いで、輝度制御部１９は、ログオン処理完了通知を受けたときに、ビデオ信号制御部２１および通信信号１００を介して画像処理ＭＰＵ８３に対するアクセスを行い、上記ステップＳ２０３で予め取得・保存していた輝度設定値（１）を画像処理ＭＰＵ８３に対して設定する（図５：ステップＳ３０７）。
【０１４３】
これにより、画像処理ＭＰＵ部８３は、インバータ８２へ送信するＰＷＭ信号等の輝度調整信号を制御し、液晶パネル８１のバックライトの輝度をスクリーンセーバー起動前の輝度に戻す。ここで、ＬＣＤモニタ８０にはデスクトップ画面が表示され、液晶パネル８１における画面表示輝度は使用者がパーソナルコンピュータ１０を快適に操作可能な輝度を示す高輝度に設定される。
【０１４４】
次いで、輝度制御部１９は、ビデオ信号制御部１５に対して画像信号６０を出力するよう命令を行う（ステップＳ３０８）。これにより、ＬＣＤモニタ３０ではバックライトがオンに設定され、画面表示が開始される。
【０１４５】
以上のように、上記実施形態２では、ＬＣＤモニタ３０およびＬＣＤモニタ８０をプライマリモニタに設定されたＬＣＤモニタ（ＬＣＤモニタ３０）の輝度を一定値以下に下げ、且つセカンダリモニタとして設定されたＬＣＤモニタ８０に対する画像信号を停止し省電力動作モードで動作させることにより、ＬＣＤモニタ３０および８０をマルチモニタとして利用するシステムにおいてもモニタにおける消費電力を有効に軽減することが可能となる。
【０１４６】
更には、セカンダリモニタ側が省電力動作モードで動作している間もプライマリモニタ側ではスクリーンセーバーが表示されているため、使用者はパーソナルコンピュータ１０が動作していることを確認でき、このため、ユーザがスリープ状態にあるモニタやパーソナルコンピュータの電源を誤って切ってしまうということを抑制することができる。
【０１４７】
上述した各実施形態については、その新規な技術的内容の要点をまとめると、以下のようになる。
尚、上記実施形態の一部または全部は、新規な技術として以下の付記のようにまとめられるが、本発明は必ずしもこれに限定されるものではない。
【０１４８】
〔付記１〕
予め設定されたプログラムに基づく演算処理を行う計算装置１０と、この計算装置１０から送り込まれた前記演算処理結果を予め設定された表示輝度で外部モニタ３０の表示部３１に出力表示するモニタ制御部（３３，１５）とを備えた出力画面制御システムであって、
前記計算装置１０が、予め装備した入力デバイスから一定期間入力がない場合に稼働して前記モニタ制御部（３３，１５）に対してスクリーンセーバの出力表示を指令するスクリーンセーバ表示指令機能を備えた演算処理部１と、前記スクリーンセーバの表示指令が前記モニタ制御部（３３，１５）に対して成された場合にこれを検出するスクリーンセーバ起動検出部１７と、前記スクリーンセーバの表示指令が検出された場合に前記外部モニタ表示部３１の表示輝度を予め設定された低輝度値に設定制御する輝度制御部１９とを備えていることを特徴とした出力画面制御システム。
【０１４９】
〔付記２〕
付記１に記載の出力画面制御システムにおいて、
前記輝度制御部１９は、前記表示輝度を示す輝度値を前記モニタ制御部から取得する輝度設定値取得機能１９Ａを有すると共に、
前記スクリーンセーバーの出力表示が解除されたことを前記スクリーンセーバ起動検出部が検知した場合に前記外部モニタに対して予め設定されたログオン用画面を前記高輝度に切換設定する高輝度設定機能１９Ｂを備えていることを特徴とした出力画面制御システム。
【０１５０】
〔付記３〕
付記２に記載の出力画面制御システムにおいて、
前記輝度制御部１９が前記高輝度制御機能１９Ｂを実行した場合に、前記演算処理部１は、前記ログオン用画面に対する入力内容に基づいてログオン処理を実行するログオン処理機能を備えていることを特徴とした出力画面制御システム。
【０１５１】
〔付記４〕（実施形態２）
付記１に記載の出力画面制御システムにおいて、
前記外部モニタとして前記演算処理結果をマルチディスプレイ表示する異なる一方と他方の複数の外部モニタ３０，８０を備え、
前記輝度制御部１９は、前記プライマリモニタに設定された前記一方の外部モニタ３０に対するスクリーンセーバの起動が検出された場合に、前記一方の外部モニタ３０における表示輝度を予め設定された低輝度値に抑制すると共に前記他方の外部モニタ８０に対する画像出力を停止する画像出力停止機能１９Ｃを備えたことを特徴とする出力画面制御システム。
【０１５２】
〔付記５〕（実施形態２）
付記４に記載の出力画面制御システムにおいて、
前記輝度制御部は１９、前記プライマリモニタとして設定された一方の外部モニタ３０から前記表示輝度を示す輝度値を取得するプライマリモニタ表示輝度取得機能１９Ｄを有すると共に、
前記演算処理部１は、前記プライマリモニタが設定された一方の外部モニタ３０におけるスクリーンセーバの出力表示が解除された場合に前記一方の外部モニタ３０に前記ログオン用画面を前記高輝度で出力し当該ログオン用画面に対する入力内容に基づきログオン処理を行うプライマリログオン処理機能を備え、
前記輝度制御部１は、前記ログオン処理の完了を検知した場合に前記一方および他の外部モニタ３０，８０における画像表示を前記取得した輝度値に基づき行うマルチモニタ高輝度出力制御機能１９Ｅを有することを特徴とした出力画面制御システム。
【０１５３】
〔付記６〕（方法の発明／付記１対応）
予め設定されたプログラムに基づく演算処理を行う計算装置１０と、この計算装置１０から送り込まれた前記演算処理結果を予め設定された表示輝度で外部モニタ３０の表示部３１に出力表示するモニタ制御部（33，15）とを備えた出力画面制御システムを使用して前記外部モニタ表示部３１における画像出力を制御する出力画面制御方法であって、
予め装備した入力デバイスから一定期間入力がない場合に稼働し、前記計算装置１０の演算処理部１が前記モニタ制御部（33，15）に対してスクリーンセーバの出力表示を指令し（スクリーンセーバ表示指令発信工程）、
前記スクリーンセーバの出力表示が前記モニタ制御部（33，15）に対して指令された場合、前記計算装置のスクリーンセーバ起動検出部１７がこれを検出し（スクリーンセーバ指令検出工程）、
前記スクリーンセーバの起動が検出された場合に前記外部モニタ表示部３１の表示輝度を予め設定された低輝度値に、前記計算装置１０の輝度制御部１９が設定制御するようにしたこと（スクリーンセーバ設定工程）を特徴とする出力画面制御方法。
【０１５４】
〔付記７〕（方法の発明／付記２，３に対応）
付記６に記載の出力画面制御方法において、
前記スクリーンセーバーの出力表示が解除されたことを前記スクリーンセーバ起動検出部１７が検知した場合に、前記外部モニタ３０に対して設定されたログオン用画面を、前記輝度制御部１９が高輝度に切換設定するようにし（輝度切換え設定工程）、
前記輝度制御部１９が前記ログオン用画面を高輝度に切換設定した場合に、前記ログオン用画面に対する入力内容に基づいて、前記演算処理部１がログオン処理を実行するようにし（ログオン処理実行工程）たことを特徴とする出力画面制御方法。
【０１５５】
〔付記８〕（プログラム発明／付記６対応）
予め設定されたプログラムに基づく演算処理を行う計算装置１０と、この計算装置１０から送り込まれた前記演算処理結果を予め設定された表示輝度で外部モニタ３０の表示部３１に出力表示するモニタ制御部（３３，１５）とを備えた出力画面制御システムにあって、
予め装備した入力デバイスから一定期間入力がない場合に稼働し、前記モニタ制御部（３３，１５）に対してスクリーンセーバの出力表示を指令するスクリーンセーバ表示指令処理機能、
前記スクリーンセーバの設定が前記モニタ制御部（３３，１５）に対して指令された場合に、直ちに当該指令を検出するスクリーンセーバ指令検出処理機能、
及び前記スクリーンセーバの起動が検出された場合に前記外部モニタ表示部３１の表示輝度を予め設定された低輝度値に設定制御するスクリーンセーバ設定処理機能を設け、
これらの各処理機能を前記計算装置１０が備えているコンピュータに実現させるようにしたことを特徴とする出力画面制御プログラム。
【０１５６】
〔付記９〕（プログラム発明／付記７対応）
付記８に記載の出力画面制御プログラムにおいて、
前記スクリーンセーバーの出力表示が解除されたことを前記スクリーンセーバ起動検出部１７が検知した場合に、前記外部モニタ３１に対して設定されたログオン用画面を、高輝度に切換設定する輝度切換え設定処理機能、
及び前記ログオン用画面を高輝度に切換設定された場合に、前記ログオン用画面に対する入力内容に基づいてログオン処理を実行するログオン実行処理機能を設け、
これらの各処理機能を前記計算装置１０が備えているコンピュータに実現させるようにしたことを特徴とする出力画面制御プログラム。
【産業上の利用可能性】
【０１５７】
本発明は、マルチディスプレイを備えたコンピュータ装置に対して有用に適用することができる。
【符号の説明】
【０１５８】
１  演算処理部
２  入力部
１０  パーソナルコンピュータ（計算装置）
１１  ＣＰＵ手段
１２  メモリ手段
１３  ハードディスクドライブ
１４  Ｉ／Ｏ制御部
１５，２１  ビデオ信号制御部（モニタ制御部）
１６  イベント検出部
１７  スクリーンセーバ起動検出部
１８  ログオン完了検出部
１９  輝度制御部
１９Ａ  輝度設定値取得機能
１９Ｂ  輝度制御機能
１９Ｃ  画像出力停止機能
１９Ｄ  プライマリモニタ表示輝度取得機能
１９Ｅ  プライマリモニタ高輝度出力制御機能
３０，８０  ＬＣＤモニタ（外部モニタ）
３１，８１  液晶パネル（モニタの表示部）
３２  インバータ
３３，８３  画像処理ＭＰＵ部（モニタ制御部）
【図１】
2013182233.tif 000003
【図２】
2013182233.tif 000004
【図３】
2013182233.tif 000005
【図４】
2013182233.tif 000006
【図５】
2013182233.tif 000007
【図６】
2013182233.tif 000008